(57)【要約】【課題】表示される被写体の向きと、実際の被写体の向きを一致させることができるようにする。【解決手段】蓋部１２が、本体部１１に対してＸ軸を中心としてほぼ９０度起こした状態にあり、かつ、表示部３２の垂線がCCD４１の光軸と同じ方向にある図５の状態が、撮影時の基準の状態とされる。この状態のとき、CCD４１により取り込まれる画像が表示部３２にそのまま表示される。一方、図５の状態から、さらに、蓋部１２が本体部１１に対して９０度回転され、本体部１１と蓋部１２がほぼ１８０度開いた状態にあることが角度検出器５１により検出された場合、CCD４１により取り込まれる画像が９０度回転され、回転された画像が表示部３２に表示される。本発明は、２軸で回動可能な構成を有する携帯電話機やPDA、或いはパーソナルコンピュータなどの携帯型の端末に適用することができる。【選択図】図５
2005086252.tif 000002
【特許請求の範囲】
【請求項１】
蓋部と本体部を回動自在に支持する第１の回動手段と、
前記第１の回動手段の回動軸と同じ方向を光軸とする撮影手段と、
前記撮影手段により撮影された画像を表示する、前記蓋部に設けられる表示手段と、
前記蓋部を、前記第１の回動手段の回動軸と垂直な軸を中心として前記本体部に対して回動自在に支持する第２の回動手段と、
前記第１の回動手段の回転角度を検出する検出手段と、
前記検出手段により検出される回転角度に基づいて、前記撮影手段により撮影される前記画像を回転させて前記表示手段に表示させる表示制御手段と
を備えることを特徴とする携帯端末。
【請求項２】
蓋部と本体部を回動自在に支持する第１の回動手段と、
前記第１の回動手段の回動軸と同じ方向を光軸とする撮影手段と、
前記撮影手段により撮影された画像を表示する、前記蓋部に設けられる表示手段と、
前記蓋部を、前記第１の回動手段の回動軸と垂直な軸を中心として前記本体部に対して回動自在に支持する第２の回動手段と、
前記第１の回動手段による前記本体部と前記蓋部の回動に連動して、前記撮影手段を回動させる連動手段と
を備えることを特徴とする携帯端末。
【発明の詳細な説明】
【技術分野】
【０００１】
本発明は、携帯端末に関し、特に、表示される被写体の向きと、実際の被写体の向きを一致させることができるようにする携帯端末に関する。
【背景技術】
【０００２】
近年、CCD(Charge Coupled Device)などの撮像素子を備えるカメラ付き携帯電話機が急激に普及している。より画質のよい写真（静止画）や動画を撮影したいというユーザのニーズもあり、中には、メガピクセルを越えるCCDを備えるものもある。
【０００３】
また、そのような現状から、カメラによる撮影スタイルを重視した、図１に示されるような、本体と、LCD(Liquid Crystal Display)などの表示部が設けられる蓋部が、２軸で回動可能な携帯電話機も提案、販売されている。
【０００４】
図１は、従来のカメラ付きの携帯電話機１の正面の外観を示す図である。本体部１１と蓋部１２は、Ｘ軸を中心に第１回動軸ユニット１３により回動し、折り畳み可能に形成されている。第１回動軸ユニット１３は、部材１３ａ乃至１３ｃからなり、このうちの部材１３ａと部材１３ｃは、本体部１１に固定され、部材１３ｂのみが回動するようになっている。なお、第１回動軸ユニット１３（部材１３ｂ）と蓋部１２は、円筒状の部材である第２回動軸部材１４により連結され、この第２回動軸部材１４によって、本体部１１、第１回動軸ユニット１３の全体と、蓋部材１２とが、第２回動軸部材１４の中心を通るＹ軸を中心に回動可能に形成されている。
【０００５】
本体部１１の表面には、表示部３２に表示されるカーソルを移動させたり、ある選択内容を決定したりするときに操作される操作キー２１の他、入力ボタン２２、マイクロホン２３が設けられている。蓋部１２の表面には、スピーカ３１と、LCDなどよりなる表示部３２が設けられている。第１回動軸ユニット１３の内部には、図の右側にCCD４１が、左側にレンズ４２が設けられている。従って、携帯電話機１のユーザは、撮影時には、図１の左方向を被写体に向けて撮影を行う。
【０００６】
このように２軸（Ｘ軸、Ｙ軸）で回動可能な構造を有することから、ユーザは、携帯電話機１によって、図２のようなスタイルで撮影を行うことが可能になっている。
【０００７】
図２は、図１の携帯電話機１を、その右方向からみた図であり、図１の状態（本体部１１と蓋部１２がほぼ１８０度開いている状態）から、第１回動軸ユニット１３によりＸ軸を中心にほぼ９０度回転させるとともに、第２回動軸部材１４によりＹ軸を中心に蓋部１２を本体部１１に対してほぼ９０度回転させた状態を示している。これにより、ユーザは、本体部１１を右手で把持し、あたかもビデオカメラでの撮影のようなスタイルで、被写体にレンズ４２を向けて撮影を行うことができる。なお、表示部３２には、そのときCCD４１により取り込まれている画像が表示される。
【０００８】
ところで、回動可能なカメラが設けられている携帯電話機に関して、筐体の上部にあるカメラの回転角度に応じて、撮影画像の上下を反転させて表示する技術が特許文献１に記載されている。
【特許文献１】特開平８−２２３４９２号公報
【発明の開示】
【発明が解決しようとする課題】
【０００９】
しかしながら、図１、図２に示される２軸で回動可能な構造を有する携帯電話機１で撮影を行った場合、軸の回転角度によっては、表示部３２に表示される被写体の方向が、実際の被写体の方向と異なるものになることがあるという課題があった。
【００１０】
例えば、図２の携帯電話機１の状態を撮影時の基準の状態とした場合、この状態で行われる撮影時に、表示部３２に表示される被写体Ｏの画像の方向は、図３Ａに示されるように、実際の被写体Ｏの方向と同じ方向をとる。図３Ａにおいては、CCD４１の光軸の先に円柱の物体である被写体Ｏが載置されており、これと上下左右の方向を同じにする被写体Ｏの画像が表示部３２に表示されている。
【００１１】
一方、図３Ａの状態から、Ｘ軸を中心として蓋部１２を回転させ、本体部１１に対して蓋部１２をほぼ９０度起こした図３Ｂの状態にした場合、第１回動軸ユニット１３内のCCD４１により取り込まれる画像は、図３Ａの状態のときと変わらないため、表示部３２に表示される被写体Ｏの方向も図３Ａの状態のときと変わらない。すなわち、このとき、表示部３２に表示される被写体Ｏの方向が、実際の被写体Ｏの方向と異なるものになる（表示部３２に表示される被写体Ｏの方向が、図の右方向を上方向とするものになる）。
【００１２】
図３Ａの状態から、蓋部１２を本体部１１に対してほぼ４５度起こして図３Ｃの状態にした場合も同様に、表示部３２に表示される被写体Ｏの方向が、実際の被写体Ｏの方向と異なるものになる（表示部３２に表示される被写体Ｏの方向が、図の右上を上方向とするものになる）。
【００１３】
この課題は、本体部１１と蓋部１２が正確に直交する位置関係にない限り、表示部３２に表示される被写体の方向が、実際の被写体の方向と異なるものになることを意味し、表示部３２の表示を見て被写体の状態や構図などを確認するユーザにとっては不便である。また、例えば、図３Ｂの携帯電話機１全体を水平方向に構えさせるなど、本体部１１の角度を本体部１１と蓋部１２の開き角度に応じて傾けさせることによって、この課題を解決することも考えられるが、これは、ユーザに無理な体勢を強いることになり、自由な撮影を妨げることになる。
【００１４】
本発明はこのような状況に鑑みてなされたものであり、２軸で回動可能な構造を有する携帯電話機において、軸の回転角度に拘わらず、表示される被写体の方向と、実際の被写体の方向を一致させることができるようにするものである。
【課題を解決するための手段】
【００１５】
第１の本発明の携帯端末は、蓋部と本体部を回動自在に支持する第１の回動手段と、第１の回動手段の回動軸と同じ方向を光軸とする撮影手段と、撮影手段により撮影された画像を表示する、蓋部に設けられる表示手段と、蓋部を、第１の回動手段の回動軸と垂直な軸を中心として本体部に対して回動自在に支持する第２の回動手段と、第１の回動手段の回転角度を検出する検出手段と、検出手段により検出される回転角度に基づいて、撮影手段により撮影される画像を回転させて表示手段に表示させる表示制御手段とを備えることを特徴とする。
【００１６】
第２の本発明の携帯端末は、蓋部と本体部を回動自在に支持する第１の回動手段と、第１の回動手段の回動軸と同じ方向を光軸とする撮影手段と、撮影手段により撮影された画像を表示する、蓋部に設けられる表示手段と、蓋部を、第１の回動手段の回動軸と垂直な軸を中心として本体部に対して回動自在に支持する第２の回動手段と、第１の回動手段による本体部と蓋部の回動に連動して、撮影手段を回動させる連動手段とを備えることを特徴とする。
【００１７】
第１の本発明の携帯端末においては、第１の回動手段の回転角度が検出され、検出される回転角度に基づいて、撮影手段により撮影される画像が回転されて表示手段に表示される。
【００１８】
第２の本発明の携帯端末においては、第１の回動手段による本体部と蓋部の回動に連動して、撮影手段が回動される。
【発明の効果】
【００１９】
第１、第２の本発明によれば、表示される被写体の方向と、実際の被写体の方向を一致させることができる。従って、ユーザは、表示される画像から、そのときの被写体の状態を正確に確認することができる。
【発明を実施するための最良の形態】
【００２０】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２１】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２２】
請求項１に記載の携帯端末（例えば、図４の携帯電話機１）は、蓋部と本体部を回動自在に支持する第１の回動手段（例えば、図４の第１回動軸ユニット１３）と、前記第１の回動手段の回動軸と同じ方向を光軸とする撮影手段（例えば、図４のCCD４１）と、前記撮影手段により撮影された画像を表示する、前記蓋部に設けられる表示手段（例えば、図４の表示部３２）と、前記蓋部を、前記第１の回動手段の回動軸と垂直な軸を中心として前記本体部に対して回動自在に支持する第２の回動手段（例えば、図４の第２回動部材１４）と、前記第１の回動手段の回転角度を検出する検出手段（例えば、図４の角度検出器５１）と、前記検出手段により検出される回転角度に基づいて、前記撮影手段により撮影される前記画像を回転させて前記表示手段に表示させる表示制御手段（例えば、図７の表示制御部６６Ａ）とを備えることを特徴とする。
【００２３】
請求項２に記載の携帯端末（例えば、図１２の構成を一部に有する携帯電話機１）は、蓋部と本体部を回動自在に支持する第１の回動手段（例えば、図１２の第１回動軸ユニット１３）と、前記第１の回動手段の回動軸と同じ方向を光軸とする撮影手段（例えば、図１２のCCD４１）と、前記撮影手段により撮影された画像を表示する、前記蓋部に設けられる表示手段（例えば、図１２の表示部３２）と、前記蓋部を、前記第１の回動手段の回動軸と垂直な軸を中心として前記本体部に対して回動自在に支持する第２の回動手段（例えば、図１２の第２回動部材１４）と、前記第１の回動手段による前記本体部と前記蓋部の回動に連動して、前記撮影手段を回動させる連動手段（例えば、図１１の撮影ブロック１０１）とを備えることを特徴とする。
【実施例１】
【００２４】
図４は、本発明を適用した携帯電話機１の正面の外観の例を示す図である。図１と同じ部分には同じ符号を付してある。
【００２５】
本体部１１と蓋部１２は、Ｘ軸を中心に第１回動軸ユニット１３により回動し、折り畳み可能に形成されている。第１回動軸ユニット１３は、部材１３ａ乃至１３ｃからなり、このうちの部材１３ａと部材１３ｃは、本体部１１に固定され、これらと枢着する部材１３ｂのみがＸ軸を中心に回動するようになっている。すなわち、この部材１３ｂが回動することで、本体部１１と蓋部１２の開閉が行われる。
【００２６】
第１回動軸ユニット１３（部材１３ｂ）と蓋部１２は、円筒状の部材である第２回動軸部材１４により連結され、この第２回動軸部材１４によって、本体部１１、第１回動軸ユニット１３の全体と、蓋部材１２とが、第２回動軸部材１４の中心を通るＹ軸を中心に回動可能に形成されている。第２回動軸部材１４と部材１３ｂが固定されるとともに、第２回動軸部材１４と蓋部１２が回動可能にされることで、または、第２回動軸部材１４と部材１３ｂが回動可能にされるとともに、第２回動軸部材１４と蓋部１２が固定されることで、Ｙ軸を中心とする、本体部１１（第１回転軸ユニット１３）に対する蓋部１２の回動が可能にされる。
【００２７】
本体部１１の表面には、表示部３２に表示されるカーソルを移動させたり、ある選択内容を決定したりするときに操作される操作キー２１、「０」乃至「９」の数字ボタン（テンキー）、「＊」ボタン、および「♯」ボタンなどよりなる入力ボタン２２が設けられている。ユーザは、操作キー２１や入力ボタン２２を操作することで、例えば、電子メールとして送信する文章やメモなどを作成することができる。入力ボタン２２の下には、ユーザの声を集音するマイクロホン２３が設けられている。
【００２８】
蓋部１２の表面には、音声を出力するスピーカ３１、LCD（Liquid Crystal Display）などよりなる表示部３２が設けられている。表示部３２には、例えば、電波の受信状態、電池の残量、電話帳として登録されている氏名や電話番号などの他、CCD４１により撮影された静止画や動画が表示される。後に詳述するように、表示部３２に表示される静止画や動画は、その表示方向（表示角度）が、Ｘ軸を中心とする本体部１１と蓋部１２の回転角度に応じて切り替えられる。
【００２９】
第１回動軸ユニット１３の内部には、左側にレンズ４２が設けられ、右側に、レンズ４２が結像する被写体を撮像するCCD４１が設けられている。第１回動軸ユニット１３の左側面であるレンズ４２の前方（図の左側）には孔部が形成されており、外部からの光がレンズ４２により集光される。また、第１回動軸ユニット１３の内部には、Ｘ軸を中心とする本体部１１と蓋部１２の回転角度を検出する角度検出器５１が設けられている。
【００３０】
このように、CCD４１の光軸が第１回動軸ユニット１３の回動軸と同じ方向にあるため、携帯電話機１のユーザは、撮影時には、図４の左方向を被写体に向けて撮影を行う。具体的には、ユーザは、携帯電話機１を図５のような状態とし、撮影を行う。
【００３１】
図５は、図４の携帯電話機１を、その右方向からみた側面図である。
【００３２】
図５に示される携帯電話機１は、本体部１１と蓋部１２がほぼ１８０度開いている図４の状態から、蓋部１２を、本体部１１に対してＸ軸を中心にほぼ９０度回転させて起こした状態にするとともに、第２回動軸部材１４により、Ｙ軸を中心にほぼ９０度回転させることで、表示部３２の垂線と、CCD４１の光軸が同じ方向になるようにした状態を示している。
【００３３】
この状態が、携帯電話機１における撮影時の基準の状態とされる。基本的にはこの状態で撮影を行うため、ユーザは、ビデオカメラで撮影するのと同様の撮影スタイルで撮影を行うことができる。
【００３４】
なお、この基準の状態のときは、CCD４１により取り込まれる画像に対して、その方向を回転させるなどの処理は行われずに、CCD４１により取り込まれる画像が、表示部３２にそのまま表示される（図５において、CCD４１の上側の画素で撮影された画像（画像の一部）は表示部３２の上側の画素により表示され、CCD４１の下側の画素で撮影された画像は表示部３２の下側の画素により表示される）。図５の表示部３２には、光軸の先にある円柱の物体である被写体Ｏが、表示部３２の枠３２ｂ方向を上に、枠３２ｄ方向を下にして表示されている。
【００３５】
CCD４１により取り込まれる画像に対して、その方向を回転させて表示する処理は、例えば、携帯電話機１が図６の状態にあるときに行われる。
【００３６】
図６は、図５の状態から、蓋部１２を、本体部１１に対してＸ軸を中心にほぼ９０度回転させて起こした状態、また、図４の状態から、表示部３２の垂線とCCD４１の光軸が同じ方向を向くように、Ｙ軸を中心に蓋部１２を本体部１１に対してほぼ９０度回転させた携帯電話機１の状態を示している。
【００３７】
図６に示されるように、表示部３２の垂線がCCD４１の光軸と同じ方向にあり、かつ、本体部１１に対して蓋部１２がほぼ１８０度開いている状態のとき、CCD４１により取り込まれる画像が、その方向のまま表示されずに（図５のように、被写体Ｏが、表示部３２の枠３２ｂ方向を上に、枠３２ｄ方向を下にして表示されずに）、表示部３２に表示される被写体の方向と、実際の被写体の方向が一致するように、画像が９０度回転して表示される。図６においては、光軸の先にある被写体Ｏが、表示部３２の枠３２ａを上に、枠３２ｃを下にして表示されている。
【００３８】
これにより、ユーザは、表示部３２に表示される画像から、被写体の状態や構図を正確に確認して撮影を行うことができる。画像の表示方向の切り替えを行う携帯電話機１の処理の詳細については、フローチャートを参照して後述する。
【００３９】
図７は、携帯電話機１の内部の構成例を示すブロック図である。
【００４０】
CPU(Central Processing Unit)６６は、ROM(Read Only Memory)６７に格納されている制御プログラムをRAM(Random Access Memory)６８に展開し、制御プログラムに従って携帯電話機１の全体の動作を制御する。CPU６６により制御プログラムが実行されて実現される表示制御部６６Ａは、角度検出器５１から供給される、本体部１１に対する蓋部１２の、Ｘ軸を中心とする回転角度に応じて、適宜、表示部３２に表示させる画像の表示角度を切り替える。
【００４１】
送信部６２は、DSP(Digital Signal Processor)６４から音声情報が供給されたとき、ディジタルアナログ変換処理、および周波数変換処理等の所定の処理を施し、得られた音声信号を、基地局により選択された所定の周波数の無線チャネルによりアンテナ６１から送信する。
【００４２】
受信部６３は、例えば、音声通話モード時において、アンテナ６１で受信されたRF信号を増幅して周波数変換処理およびアナログディジタル変換処理等の所定の処理を施し、得られた音声情報をDSP６４に出力する。
【００４３】
DSP６４は、受信部６３から供給された音声情報に対して、例えば、スペクトラム逆拡散処理を施し、得られたデータを音声処理部６５に出力する。また、DSP６４は、音声処理部６５から供給された音声情報に対してスペクトラム拡散処理を施し、得られたデータを送信部６２に出力する。
【００４４】
音声処理部６５は、マイクロホン２３により集音されたユーザの音声を音声情報に変換し、それをDSP６４に出力する。また、音声処理部６５は、DSP６４から供給された音声情報をアナログ音声信号に変換し、対応する音声信号をスピーカ３１から出力させる。
【００４５】
表示部３２は、CPU６６から供給される情報に基づいて、対応する画面を表示する。入力検出部６９は、本体部１１の表面に設けられる操作キー２１、入力ボタン２２に対するユーザの入力を検出し、対応する信号をCPU６６に出力する。
【００４６】
CCD４１は、CPU６６による制御に従って撮影を行い、得られた被写体の画像データをCPU６６に出力する。撮影された画像データは、内蔵のフラッシュメモリや、携帯電話機１に対して着脱可能なメモリカードのフラッシュメモリ（いずれも図示せず）などに記憶される。
【００４７】
角度検出器５１は、本体部１１に対する蓋部１２のＸ軸を中心とする回転角度を検出し、検出した回転角度の情報をCPU６６に出力する。
【００４８】
次に、図８のフローチャートを参照して、以上のような構成を有する携帯電話機１により行われる表示制御処理について説明する。
【００４９】
この処理は、例えば、図５や図６に示されるように、表示部３２の垂線の方向がCCD４１の光軸の方向と一致し、かつ、カメラモード（撮影モード）になっている状態で行われる。カメラモードになっているときには、CCD４１により取り込まれる画像が表示部３２に表示される。
【００５０】
ステップＳ１において、角度検出器５１は、図４のＸ軸を中心とする、本体部１１に対する蓋部１２の回転角度を検出する。角度検出器５１は、検出した回転角度の情報をCPU６６に出力する。
【００５１】
ステップＳ２において、CPU６６は、角度検出器５１から供給される情報に基づいて、携帯電話機１の状態が、基準の撮影スタイルの状態にあるか否か、すなわち、図５に示されるように、蓋部１２が、本体部１１に対してＸ軸を中心にほぼ９０度回転させて起こした状態にあるか否かを判定する。
【００５２】
CPU６６は、ステップＳ２において、携帯電話機１が基準の撮影スタイルの状態にあると判定した場合、ステップＳ３に進み、表示制御部６６Ａにより、CCD４１により取り込まれる画像を、その方向の回転などを行わずに表示部３２にそのまま表示させる。従って、CCD４１の光軸の先に円柱の物体である被写体Ｏがある場合（円柱の物体が立てた状態で載置されている場合）、その被写体Ｏの画像が、図５に示されるように、表示部３２の枠３２ｂ方向を上に、枠３２ｄ方向を下にして表示される。
【００５３】
その後、ステップＳ１に戻り、それ以降の処理が繰り返される。
【００５４】
一方、ステップＳ２において、Ｘ軸を中心として、本体部１１に対して蓋部１２がほぼ９０度開いた状態にないため、携帯電話機１が基準の撮影スタイルの状態にないと判定した場合、CPU６６は、ステップＳ４に進む。
【００５５】
ステップＳ４において、CPU６６は、蓋部１２が、本体部１１に対してほぼ１８０度開いている状態にあるか否か、すなわち、図６の状態にあるか否かを判定し、そのような状態にないと判定した場合、ステップＳ３に進み、CCD４１により取り込まれる画像を表示部３２にそのまま表示させる。従って、この場合、図５の被写体Ｏの表示が保持されることになる。
【００５６】
CPU６６は、ステップＳ４において、蓋部１２が本体部１１に対してほぼ１８０度開いている、図６の状態に携帯電話機１があると判定した場合、ステップＳ５に進み、CCD４１により取り込まれる画像を９０度回転させて表示部３２に表示させる。従って、このとき、図６に示されるように、CCD４１の光軸の先にある被写体Ｏの画像が、表示部３２の枠３２ａ方向を上に、枠３２ｃ方向を下にして表示される。図６の表示部３２に表示される被写体Ｏの画像は、図５のものと較べて９０度回転している。
【００５７】
その後、ステップＳ１に戻り、それ以降の処理が繰り返される。
【００５８】
以上の処理により、被写体Ｏの画像の方向が、実際の被写体Ｏの方向に一致するように、表示される画像の方向が適宜切り替えられることになる。従って、ユーザは、表示部３２に表示される画像から、そのときの被写体の状態を正確に確認することができる。
【００５９】
以上においては、蓋部１２が、本体部１１に対してほぼ１８０度開いている状態にあるときにのみ、画像の方向が切り替えられるとしたが、そのとき検出される回転角度に応じて、常に、被写体Ｏの画像の方向が、実際の被写体Ｏの方向に一致するように表示が切り替えられるようにしてもよい。
【００６０】
次に、図９のフローチャートを参照して、所定の周期で検出される回転角度に応じて、その都度、画像の表示が制御される表示制御処理について説明する。
【００６１】
ステップＳ１１において、角度検出器５１は、本体部１１に対する蓋部１２のＸ軸を中心とする回転角度を検出し、検出した回転角度の情報をCPU６６に出力する。
【００６２】
ステップＳ１２において、CPU６６は、角度検出器５１から供給される情報に基づいて、携帯電話機１の状態が、基準の撮影スタイルの状態にあるか否かを判定し、基準の撮影スタイルの状態にあると判定した場合、ステップＳ１３に進む。
【００６３】
ステップＳ１３において、表示制御部６６Ａは、CCD４１により取り込まれる画像を表示部３２にそのまま表示させ、その後、ステップＳ１１以降の処理を繰り返す。この場合、図５に示されるように、被写体Ｏの画像が、枠３２ｂ方向を上に、枠３２ｄ方向を下にして表示部３２に表示される。
【００６４】
一方、ステップＳ１２において、携帯電話機１が基準の撮影スタイルの状態にないと判定した場合、CPU６６は、ステップＳ１４に進み、CCD４１により取り込まれる画像を、角度検出器５１により検出される回転角度に応じて回転させて表示部３２に表示させる。その後、ステップＳ１１に戻り、それ以降の処理が繰り返し実行される。
【００６５】
この処理により、例えば、図１０Ａに示される基準の撮影スタイルの状態から、図１０Ｂに示されるように、蓋部１２が、本体部１１に対してほぼ１８０度開いている状態にされた場合、CCD４１により取り込まれる画像が９０度回転して表示部３２に表示されることになる。すなわち、図１０Ａの状態から、本体部１１と蓋部１２の位置関係が９０度変化した場合、それとともに画像が９０度回転して表示されることになる。
【００６６】
また、図１０Ａの状態から、図１０Ｃに示されるように、本体部１１と蓋部１２の位置関係がほぼ４５度変化した場合（蓋部１２が、本体部１１に対してほぼ１３５度開いた状態にある場合）、それとともに画像が４５度回転して表示されることになる。
【００６７】
このように、所定の周期で検出される回転角度に応じて、その都度、画像を回転させて表示させることによって、被写体の画像の方向と、実際の被写体の方向が一致した状態を常に保つことができる。
【００６８】
以上においては、Ｘ軸を中心とする、蓋部１２の本体部１１に対する回転角度を検出し、その検出結果に応じて画像の表示をソフトウエア的に切り替えるとしたが、本体部１１と蓋部１２の回転に連動して、CCD４１自体を回転させることで画像の表示を切り替えるようにしてもよい。
【実施例２】
【００６９】
図１１は、本体部１１に対する蓋部１２の回転に連動して、CCD４１が回転する構成を有する携帯電話機１の第１回動軸ユニット１３近傍の断面図である。
【００７０】
第１回動軸ユニット１３の内部には、CCD４１とレンズ４２を保持する撮影ブロック１０１が設けられている。この撮影ブロック１０１は、全体として、Ｘ軸を中心として回動可能になっている。
【００７１】
撮影ブロック１０１に形成される突起部１０１ａは、第２回動軸部材１４の内部を通って蓋部１２と嵌合しており、本体部１１に対する蓋部１２のＸ軸を中心とする回転に連動して撮影ブロック１０１全体を回転させる。撮影ブロック１０１が回転することにより、それに連動して、撮影ブロック１０１により保持されるCCD４１、レンズ４２も回転することになる。
【００７２】
突起部１０１ａと第２回動軸部材１４は固定されておらず、Ｙ軸を中心としての回転が可能とされている。すなわち、Ｙ軸を中心として回転させるように、蓋部１２に対して外力が加えられた場合、本体部１１、第１回動軸ユニット１３、その内部にある撮影ブロック１０１は図１１の状態を保持し、蓋部１２のみが外力に従って回転する。
【００７３】
このように、Ｘ軸を中心とした回転に連動してCCD４１等を回転させる撮影ブロック１０１が設けられていることから、例えば、図１２の基準の状態から図１３の状態に、本体部１１に対する蓋部１２の位置が変化した場合、その回転に連動してCCD４１の方向が回転することになる。すなわち、図１２においては、CCD４１の長手方向が図の水平方向にあるが、図１３においては、Ｘ軸を中心とした蓋部１２の回転に連動して、CCD４１の長手方向が図の垂直方向になるように、CCD４１全体が回転している。
【００７４】
これにより、CCD４１により取り込まれる画像を、その方向を回転させるなどの処理を施さずに表示部３２にそのまま表示させるだけで、被写体Ｏの画像の方向を、実際の被写体Ｏの方向に常に一致させることができる。これによっても、ユーザは、表示部３２の表示から、被写体の状態や構図を正確に確認することができる。
【００７５】
以上においては、表示される画像の方向の切り替え（回転）や、CCD４１自体の回転が、携帯電話機において行われるとしたが、携帯電話機に限られず、本体部と蓋部が２軸で回動可能な構成を有する端末であり、その軸の部分に撮像素子が設けられている端末であれば、どのような端末においても、それらの処理（画像の回転、CCDの回転）が行われるようにしてもよい。そのような端末としては、携帯電話機の他、例えば、PDA(Personal Digital Assistants)やノートブック型のパーソナルコンピュータなどがある。
【図面の簡単な説明】
【００７６】
【図１】従来の携帯電話機の正面の外観を示す図である。
【図２】図１の携帯電話機の側面を示す図である。
【図３】図１の携帯電話機により撮影される画像の表示例を示す図である。
【図４】本発明を適用した携帯電話機の正面の外観を示す図である。
【図５】図４の携帯電話機の側面を示す図である。
【図６】図４の携帯電話機の側面を示す他の図である。
【図７】図４の携帯電話機の内部構成の例を示すブロック図である。
【図８】図４の携帯電話機の表示制御処理を説明するフローチャートである。
【図９】図４の携帯電話機の他の表示制御処理を説明するフローチャートである。
【図１０】図４の携帯電話機により撮影される画像の表示例を示す図である。
【図１１】本発明を適用した他の携帯電話機の断面図である。
【図１２】図１１の構成を有する携帯電話機の側面を示す図である。
【図１３】図１１の構成を有する携帯電話機の側面を示す他の図である。
【符号の説明】
【００７７】
１  携帯電話機，  １１  本体部，  １２  蓋部，  １３  第１回動軸ユニット，  １４  第２回動軸部材，  ３２  表示部，  ４１  CCD，  ５１  角度検出器，  ６６  CPU，  ６６Ａ  表示制御部，  １０１  撮影ブロック
【図１】
2005086252.tif 000003
【図２】
2005086252.tif 000004
【図３】
2005086252.tif 000005
【図４】
2005086252.tif 000006
【図５】
2005086252.tif 000007
【図６】
2005086252.tif 000008
【図７】
2005086252.tif 000009
【図８】
2005086252.tif 000010
【図９】
2005086252.tif 000011
【図１０】
2005086252.tif 000012
【図１１】
2005086252.tif 000013
【図１２】
2005086252.tif 000014
【図１３】
2005086252.tif 000015